(57)【要約】      （修正有）【課題】皮膚に接する部分の温灸器の通孔の径をより小さくして、温灸治療の効果を高めることができる構造の温灸器を提供する。【解決手段】温灸器は、第１の台座４に上下に貫通する第１の通孔４１を設け、第２の台座３に上下に貫通する第２の通孔３１を設け、第１の通孔４１の径は第２の通孔３１の径よりも小さいものとし、第１の台座４を下に第２の台座３を上にして重ね合わせ、第２の通孔３１の上側開口を覆うように第２の台座３の上面に艾を糊で固めた艾整形体２を設けた構成とされる。【選択図】図２
0003165103.tif 000002
【実用新案登録請求の範囲】
【請求項１】
第１の台座４に上下に貫通する第１の通孔４１を設け、第２の台座３に上下に貫通する第２の通孔３１を設け、前記第１の通孔４１の径は前記第２の通孔３１の径よりも小さいものとし、前記第１の台座４を下に前記第２の台座３を上にして重ね合わせ、前記第２の通孔３１の上側開口を覆うように前記第２の台座３の上面に艾を糊で固めた艾整形体２を設けたことを特徴とする温灸器。
【請求項２】
前記第１の台座の厚みが、前記第２の台座の厚みより小さいことを特徴とする請求項１に記載の温灸器。
【請求項３】
前記第１の台座の下面に粘着剤を塗布し、前記第２の台座の下面に粘着剤を塗布したことを特徴とする請求項１又は２に記載の温灸器。
【請求項４】
前記第１の台座の厚みが０．５〜１．５ｍｍであり、前記第２の台座の厚みが２〜３．５ｍｍであり、前記第１の通孔の径が１〜２．５ｍｍであり、前記第２の通孔の径が３〜５ｍｍであることを特徴とする請求項１に記載の温灸器。
【請求項５】
前記第１の台座と前記第２の台座の間で通孔以外の部分が、熱遮蔽素材で仕切られたことを特徴とする請求項１に記載の温灸器。
【請求項６】
下面に粘着剤を塗布した台座に上下に貫通する通孔を設け、前記通孔の上側開口を覆うように艾を糊で固めた艾整形体を設けた温灸器において、
前記台座が、少なくとも２層の台座が貼り合わさったものであり、艾整形体の位置する側を上とした場合に、下側に位置する層の台座の通孔の径が、上側に位置する層の台座の通孔の径より小さいことを特徴とする請求項１に記載の温灸器。
【考案の詳細な説明】
【技術分野】
【０００１】
本考案は、艾（もぐさ）の燃焼熱を皮膚に伝達する温灸器に関するものである。
【背景技術】
【０００２】
温灸とは、強すぎず、不快な熱さのない灸療法の総称であり、火傷や水疱ができず、見にくい痕（あと）が残らない間接的に患部にすえる灸治療である。
従来から、患部の灸治療に用いる温灸器として、厚紙等で形成される台座１の上面に薄紙５で巻いた艾３を設けて形成した図４のような温灸器が知られている。この温灸器は、台座１の下面に設けた粘着剤で台座１を皮膚１０に貼り付け、この状態で艾３に火を付けるようにするものであり、図４中の矢印で示すように、艾３の燃焼熱は台座１に設けた通孔２を通して皮膚１０に伝わるが、艾３は皮膚１０に接していないために艾３に付けた火が皮膚１０に直接作用することがなくなり、皮膚１０に火傷が生じたり極端な熱さを感じたりすることなく灸治療を行えるものである。
【０００３】
上述した如く、従来の温灸器は、台座１に設けた通孔２を通して艾３の燃焼熱を皮膚に伝達するものである。昨今、所謂一点灸の効果を得るべく、温灸器の通孔２の径をより小さくして、温灸治療の効果を高めることが望まれている。
また、従来の温灸器では、通孔２からだけでなく台座１からの熱伝導も多いために、温熱が浸透する範囲が広くなり皮膚表面の温度が上昇しやすく、また、艾３の燃焼熱が直線的に進行して直接皮膚表面に達して浸透することになり、熱さを強く感じるという問題がある。かかる問題に対しては、通孔２を伝熱材４で閉塞させた温灸器が知られていた（特許文献１を参照）。
【先行技術文献】
【特許文献】
【０００４】
【特許文献１】特開２００１−２９３０６１号公報
【考案の概要】
【考案が解決しようとする課題】
【０００５】
上記状況に鑑みて、本考案は、皮膚に接する部分の温灸器の通孔の径をより小さくして、温灸治療の効果を高めることができる構造の温灸器を提供することを目的とする。
また、本考案は、通孔からだけでなく台座からの熱伝導も多いこと、また、艾の燃焼熱が直線的に進行して直接皮膚表面に達して浸透することを鑑みて、台座部分の熱伝導性を下げる構造の温灸器を提供することを目的とする。
【課題を解決するための手段】
【０００６】
上記課題を解決すべく、本考案の温灸器は、第１の台座に上下に貫通する第１の通孔を設け、第２の台座に上下に貫通する第２の通孔を設け、第１の通孔の径は第２の通孔の径よりも小さいものとし、第１の台座を下に第２の台座を上にして重ね合わせ、第２の通孔の上側開口を覆うように第２の台座の上面に艾を糊で固めた艾整形体を設けた構成とされる。
【０００７】
かかる構成によれば、皮膚に接する部分の温灸器の通孔の径をより小さくでき、皮膚に伝達する温熱を一点集中させて、温灸治療の効果を高めることができる。
【０００８】
ここで、第１の台座の厚みが、第２の台座の厚みより小さいことが好ましい態様である。皮膚に伝達する温熱を効率よく取り出すためである。
【０００９】
また、第１の台座の下面に粘着剤を塗布し、第２の台座の下面に粘着剤を塗布したことが好ましい。温灸器の生産性を向上するためである。また、販売時に第１の台座と第２の台座を分離した形で提供し、従来の温灸器と同様な構成、すなわち、第１の台座がない構成でも使用可能とするためである。
【００１０】
具体的には、第１の台座の厚みが０．５〜１．５ｍｍであり、第２の台座の厚みが２〜３．５ｍｍであり、第１の通孔の径が１〜２．５ｍｍであり、第２の通孔の径が３〜５ｍｍである。
なお、第１の通孔の径が第２の通孔の径よりも小さくなる範囲で、それぞれの通孔の径を選択する。
【００１１】
また、第１の台座と第２の台座の間で通孔以外の部分が、熱遮蔽素材で仕切られたことが好ましい態様である。
【００１２】
また、本考案の他の観点からは、下面に粘着剤を塗布した台座に上下に貫通する通孔を設け、通孔の上側開口を覆うように艾を糊で固めた艾整形体を設けた温灸器において、
上記の台座が、少なくとも２層の台座が貼り合わさったものであり、艾整形体の位置する側を上とした場合に、下側に位置する層の台座の通孔の径が、上側に位置する層の台座の通孔の径より小さい構成とされる。
【００１３】
ここで、少なくとも２層の台座としたのは、３層の台座の貼り合わせや、４層の台座の貼り合わせであっても、同様の効果を得ることができるからである。この場合、艾整形体の位置する側を上とした場合に、下側に位置する層の台座の通孔の径が、上側に位置する層の台座の通孔の径より小さく構成し、皮膚表面に温熱を一点集中させるようにするのである。
【考案の効果】
【００１４】
本考案の温灸器によれば、温熱を効率的に一点集中して皮膚に伝達し、温灸治療の効果を高めることができる。
【図面の簡単な説明】
【００１５】
【図１】実施例１の温灸器の外観図
【図２】実施例１の温灸器の断面図
【図３】実施例１の温灸器の説明図
【図４】従来例を示す断面図
【考案を実施するための最良の形態】
【００１６】
以下、本考案の実施形態について、図面を参照しながら詳細に説明していく。ただし、本考案の範囲は、以下の実施例や図示例に限定されるものではなく、幾多の変更または変形が可能である。
【実施例１】
【００１７】
本考案の温灸器の概略構成について、図１〜３を参照しながら説明する。図１は実施例１の温灸器の外観図である。また、図２は実施例１の温灸器の断面図である。
図１及び図２に示されるように、実施例１の温灸器は、第１の台座４に上下に貫通する第１の通孔４１を設け、第２の台座３に上下に貫通する第２の通孔３１を設けており、第１の通孔４１の径は第２の通孔３１の径よりも小さいデザインとしている。
【００１８】
具体的には、図３に示すように、第１の台座４の厚みが１．０ｍｍであり、第２の台座３の厚みが３．０ｍｍであり、第１の通孔の径が２ｍｍであり、第２の通孔の径が５ｍｍである。
【００１９】
第１の台座４を下に第２の台座３の上にして重ね合わせる。そして、第２の通孔３１の上側開口を覆うようにして、第２の台座３の上面に艾を糊で固めた艾整形体２を設ける。
【符号の説明】
【００２０】
１  本考案の温灸器
２  もぐさ整形体
３  第２の台座
４  第１の台座
３１  第２の通孔
４１  第１の通孔
【図１】
0003165103.tif 000003
【図２】
0003165103.tif 000004
【図３】
0003165103.tif 000005
【図４】
0003165103.tif 000006